(57)【要約】非常に高いスループット（ＶＨＴ）ワイヤレスローカルエリアネットワーク（ＷＬＡＮ）におけるＶＨＴ動作のためのシグナリングをもたらす方法および装置。アクセスポイント（ＡＰ）が、ＶＨＴ動作情報またはＶＨＴ能力情報を送ることによって、ＢＳＳ（基本サービスセット）におけるＶＨＴ  ワイヤレス送信／受信ユニット（ＷＴＲＵ）の動作を制御することが可能である。
2013511215.tif 000002
【特許請求の範囲】
【請求項１】
非常に高いスループット（ＶＨＴ）能力情報を含む管理フレームを受信する受信機を備えることを特徴とするワイヤレス送信／受信ユニット（ＷＴＲＵ）。
【請求項２】
ＶＨＴ能力情報を要求する管理フレーム要求を送信する送信機を備えることを特徴とする請求項１に記載のＷＴＲＵ。
【請求項３】
前記ＶＨＴ能力情報は、非隣接チャネルに関する送信能力を含むことを特徴とする請求項１に記載のＷＴＲＵ。
【請求項４】
前記ＶＨＴ能力情報は、非隣接チャネルに関する受信能力を含むことを特徴とする請求項１に記載のＷＴＲＵ。
【請求項５】
前記ＶＨＴ能力情報は、１つまたは複数の二次チャネルに関する二次チャネルオフセットを含むことを特徴とする請求項１に記載のＷＴＲＵ。
【請求項６】
前記ＶＨＴ能力情報は、ＶＨＴ  ＷＴＲＵチャネル幅を含むことを特徴とする請求項１に記載のＷＴＲＵ。
【請求項７】
前記ＶＨＴ能力情報は、ＶＨＴ逆方向プロトコルレスポンダ能力を含むことを特徴とする請求項１に記載のＷＴＲＵ。
【請求項８】
前記ＶＨＴ能力情報は、電力制御のための測距シグナリング能力を含むことを特徴とする請求項１に記載のＷＴＲＵ。
【請求項９】
前記ＶＨＴ能力情報は、使用されているＶＨＴに関する電力制御を含むことを特徴とする請求項１に記載のＷＴＲＵ。
【請求項１０】
前記ＶＨＴ能力情報は、同期のための測距シグナリング能力を含むことを特徴とする請求項１に記載のＷＴＲＵ。
【請求項１１】
シグナリングのための前記測距シグナリング能力は、送信タイミングオフセットを含むことを特徴とする請求項１０に記載のＷＴＲＵ。
【請求項１２】
前記ＶＨＴ能力情報は、周波数再使用能力を含むことを特徴とする請求項１に記載のＷＴＲＵ。
【請求項１３】
前記ＶＨＴ能力情報は、ＯＢＳＳ（重なり合う基本サービスセット）管理能力を含むことを特徴とする請求項１に記載のＷＴＲＵ。
【請求項１４】
前記ＶＨＴ能力情報は、ＶＨＴチャネル走査能力を含むことを特徴とする請求項１に記載のＷＴＲＵ。
【請求項１５】
前記ＶＨＴ能力情報は、並存能力を含むことを特徴とする請求項１に記載のＷＴＲＵ。
【請求項１６】
前記管理フレームは、ビーコンの中に備えられることを特徴とする請求項１に記載のＷＴＲＵ。
【請求項１７】
非常に高いスループットのＶＨＴ能力情報をワイヤレス送信／受信ユニット（ＷＴＲＵ）から通信する方法であって
ＶＨＴ能力情報を要求する管理フレーム要求を送信するステップと、
非常に高いスループット（ＶＨＴ）能力情報を含む管理フレームを受信するステップと、
ＶＨＴ能力情報を要求する管理フレーム要求を送信するステップと
を含むことを特徴とする方法。
【請求項１８】
非常に高いスループット（ＶＨＴ）動作情報を含む管理フレームを受信する受信機を備えることを特徴とするワイヤレス送信／受信ユニット（ＷＴＲＵ）。
【請求項１９】
関連付け要求情報を含む管理フレームを送信する送信機をさらに備えることを特徴とする請求項１８に記載のＷＴＲＵ。
【請求項２０】
前記ＶＨＴ動作情報は、周波数再使用機構の通知を含むことを特徴とする請求項１８に記載のＷＴＲＵ。
【請求項２１】
周波数再使用機構の前記通知は、アクセスポイント（ＡＰ）により近いＷＴＲＵに関するスペクトル効率を高めることに関する情報を含むことを特徴とする請求項２０に記載のＷＴＲＵ。
【請求項２２】
非常に高いスループット（ＶＨＴ）動作情報を送信する方法であって、
ＶＨＴ動作ＩＥ（情報要素）を送信するステップを含み、前記ＩＥは、ワイヤレス送信／受信ユニット（ＷＴＲＵ）に送信するのに使用されるＶＨＴ一次チャネル、二次チャネルオフセット、および、ＶＨＴ  ＷＴＲＵチャネル幅に関連付けられた情報を有することを特徴とする方法。
【発明の詳細な説明】
【技術分野】
【０００１】
この出願はワイヤレス通信に関する。
【背景技術】
【０００２】
関連出願の相互参照
この出願は、参照により内容が本明細書に組み込まれている、２００９年１１月１２日に出願した米国特許出願第６１／２６０，５５２号明細書、および、２００９年１１月１２日に出願した米国特許出願第６１／２６０，６３９号明細書の利益を主張するものである。
【０００３】
ＩＥＥＥ８０２．１１標準の最初のバージョンは、１Ｍｂｐｓのデータレートを提供していた。その後の修正版、すなわち、ＩＥＥＥ８０２．１１ｂにおいて、１１Ｍｂｐｓの物理層データレートが提供された。それぞれ２．４ＧＨｚ帯域および５ＧＨｚ帯域に関するＩＥＥＥ８０２．１１ｇ修正版およびＩＥＥＥ８０２．１１ａ修正版における直交周波数分割多重化（ＯＦＤＭ）の導入とともに、サポートされるデータレートは、物理（ＰＨＹ）層で５４Ｍｂｐｓに増加した。ＩＥＥＥ８０２．１１ｎ修正版は、サポートされるデータレートを、ＭＡＣ層の上で１００Ｍｂｐｓに増加させた。
【０００４】
ＭＡＣ層の上で１００Ｍｂｐｓを超える非常に高いスループット（ＶＨＴ）を有するワイヤレスローカルエリアネットワーク（ＷＬＡＮ）が、設計されている。また、ＶＨＴ  ＷＬＡＮは、ＭＵ−ＭＩＭＯ（マルチユーザ多入力多出力）技術、新たなコーディング機能、新たな電力節約機能などの機能を含むことも可能である。ＭＵ−ＭＩＭＯ技術は、同一の周波数上で複数のＷＴＲＵに同時に送信することを可能にし、さらに同一の周波数上で複数のＷＴＲＵから同時に受信することも可能にする。また、ＶＨＴパケット伝送およびレガシーパケット伝送のための新たなＶＨＴ保護機能も必要とされる。密集して展開されたＶＨＴ  ＡＰを伴うシナリオにおいて、ＯＢＳＳ（重なり合う基本サービスセット）管理が、隣接するＢＳＳからの高い干渉のために必要である。テレビホワイトスペース（ＴＶＷＳ）シナリオにおいて、独立して運用されるネットワーク／デバイス（さらに無線技術の点で異種のネットワーク／デバイスさえも）が、同一の共通するＴＶＷＳ周波数スペクトルにおいて並存し、動作するものと見込まれる。これらは、ＶＨＴ  ＷＬＡＮにおいて必要とされる新たな機能および能力のサンプルに過ぎない。
【発明の概要】
【０００５】
方法および装置が、ＶＨＴワイヤレスローカルエリアネットワーク（ＷＬＡＮ）における非常に高いスループット（ＶＨＴ）動作のためのシグナリングをもたらす。アクセスポイント（ＡＰ）が、ＶＨＴ動作情報またはＶＨＴ能力情報を送ることによって、ＢＳＳ（基本サービスセット）におけるＶＨＴワイヤレス送信／受信ユニット（ＷＴＲＵ）の動作を制御することが可能である。
【図面の簡単な説明】
【０００６】
例として与えられ、添付の図面と併せて理解されるべき後段の説明から、より詳細な理解を得ることができる。
【０００７】
【図１Ａ】開示される１つまたは複数の実施形態が実施され得る例示的な通信システムを示すシステム図である。
【図１Ｂ】図１Ａに示される通信システム内で使用され得る例示的なワイヤレス送信／受信ユニット（ＷＴＲＵ）を示すシステム図である。
【図１Ｃ】図１Ａに示される通信システム内で使用され得る例示的な無線アクセスネットワークおよび例示的なコアネットワークを示すシステム図である。
【図２】情報要素（ＩＥ）のフォーマットを示す図である。
【図３】ワイヤレス通信システム／アクセスネットワークを示す図である。
【図４】図３のワイヤレス通信システムのＷＴＲＵおよびノードＢを示す例示的な機能ブロック図である。
【図５】管理フレーム内で送られるＶＨＴ動作情報の例を示す図である。
【図６】ＶＨＴ動作ＩＥフォーマットの例を示す図である。
【図７】ＶＨＴ動作情報を含める近隣レポート要素の変更を示す図である。
【図８】管理フレーム内で送られるＶＨＴ能力情報の例を示す図である。
【図９】例示的なＶＨＴ能力情報要素フォーマットを示す図である。
【図１０】ＶＨＴ能力下位要素情報を含める近隣レポート要素の例示的な変更を示す図である。
【発明を実施するための形態】
【０００８】
「ワイヤレス送信／受信ユニット（ＷＴＲＵ）」という用語には、局（ＳＴＡ）、ユーザ機器（ＵＥ）、移動局、固定加入者ユニットもしくはモバイル加入者ユニット、ポケットベル、セルラ電話機、ＰＤＡ（携帯情報端末）、コンピュータ、ＭＩＤ（モバイルインターネットデバイス）、またはワイヤレス環境で動作することができる他の任意のタイプのデバイスが含まれるが、以上には限定されない。
【０００９】
以降、言及される場合、「ＡＰ」という用語には、基地局（ＢＳ）、ノードＢ、サイトコントローラ、またはワイヤレス環境で動作することができる他の任意のタイプのインターフェースをとるデバイスが含まれるが、以上には限定されない。
【００１０】
それらの実施形態は、一般に、ＷＬＡＮの文脈で説明されるが、それらの様々な実施形態は、任意のワイヤレス通信技術で実施され得る。いくつかの例示的なタイプのワイヤレス通信技術には、ＷｉＭＡＸ（ワールドワイドインターオペラビリティフォーマイクロウェイブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、８０２．ｘｘ、ＧＳＭ（グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ））、ＣＤＭＡ２０００（符号分割多元接続）、ＵＭＴＳ（ユニバーサルモバイルテレコミュニケーションシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ））、ＬＴＥ（ロングタームエボリューション（Ｌｏｎｇ  Ｔｅｒｍ  Ｅｖｏｌｕｔｉｏｎ））、または任意の将来の技術が含まれるが、以上には限定されない。
【００１１】
インフラストラクチャの説明
図１Ａは、開示される１つまたは複数の実施形態が実施され得る例示的な通信システム１００の図である。通信システム１００は、音声、データ、ビデオ、メッセージング、ブロードキャストなどのコンテンツをワイヤレスユーザに供給する多元接続システムであることが可能である。通信システム１００は、複数のワイヤレスユーザが、ワイヤレス帯域幅を含むシステムリソースを共有することを介して、そのようなコンテンツにアクセスすることを可能にすることができる。例えば、通信システム１００は、ＣＤＭＡ（符号分割多元接続）、ＴＤＭＡ（時分割多元接続）、ＦＤＭＡ（周波数分割多元接続）、ＯＦＤＭＡ（直交ＦＤＭＡ）、ＳＣ−ＦＤＭＡ（シングルキャリアＦＤＭＡ）などの１つまたは複数のチャネルアクセス方法を使用することが可能である。
【００１２】
図１Ａに示されるとおり、通信システム１００は、ワイヤレス送信／受信ユニット（ＷＴＲＵ）１０２ａ、１０２ｂ、１０２ｃ、１０２ｄと、無線アクセスネットワーク（ＲＡＮ）１０４と、コアネットワーク１０６と、公衆交換電話網（ＰＳＴＮ）１０８と、インターネット１１０と、他のネットワーク１１２とを含み得るが、開示される実施形態は、任意の数のＷＴＲＵ、基地局、ネットワーク、および／またはネットワーク要素を企図することが認識されよう。ＷＴＲＵ１０２ａ、１０２ｂ、１０２ｃ、１０２ｄのそれぞれは、ワイヤレス環境において動作し、および／または通信するように構成された任意のタイプのデバイスであり得る。例として、ＷＴＲＵ１０２ａ、１０２ｂ、１０２ｃ、１０２ｄは、ワイヤレス信号を送信するように、および／または受信するように構成されることが可能であり、さらにユーザ機器（ＵＥ）、移動局、固定加入者ユニットもしくはモバイル加入者ユニット、ポケットベル、セルラ電話機、ＰＤＡ（携帯情報端末）、スマートフォン、ラップトップ、ネットブック、パーソナルコンピュータ、ワイヤレスセンサ、家庭用電子機器などを含むことが可能である。
【００１３】
また、通信システム１００は、基地局１１４ａおよび基地局１１４ｂを含むことも可能である。基地局１１４ａ、１１４ｂのそれぞれは、コアネットワーク１０６、インターネット１１０、および／またはネットワーク１１２などの１つまたは複数の通信ネットワークへのアクセスを円滑にするようにＷＴＲＵ１０２ａ、１０２ｂ、１０２ｃ、１０２ｄの少なくとも１つとワイヤレスでインターフェースをとるように構成された任意のタイプのデバイスであり得る。例として、基地局１１４ａおよび１１４ｂは、基地局トランシーバ（ＢＴＳ）、ノードＢ、ｅＮｏｄｅＢ、ホームノードＢ、ホームｅＮｏｄｅＢ、サイトコントローラ、アクセスポイント（ＡＰ）、ワイヤレスルータなどであり得る。基地局１１４ａ、１１４ｂはそれぞれ、単一の要素として図示されるが、基地局１１４ａ、１１４ｂは、任意の数の互いに接続された基地局および／またはネットワーク要素を含み得ることが認識されよう。
【００１４】
基地局１１４ａは、他の基地局、および／または基地局コントローラ（ＢＳＣ）、無線ネットワークコントローラ（ＲＮＣ）、中継ノードなどの他のネットワーク要素（図示せず）を含むことも可能なＲＡＮ１０４の一部であり得る。基地局１１４ａおよび／または基地局１１４ｂは、セル（図示せず）と呼ばれ得る特定の地理的区域内でワイヤレス信号を送信するように、および／または受信するように構成され得る。セルは、セルセクタにさらに分割され得る。例えば、基地局１１４ａに関連付けられたセルが、３つのセクタに分割され得る。このため、一実施形態において、基地局１１４ａは、３つの、すなわち、セルの各セクタにつき１つのトランシーバを含み得る。別の実施形態において、基地局１１４ａは、ＭＩＭＯ（多入力多出力）技術を使用することが可能であり、したがって、セルの各セクタにつき複数のトランシーバを利用することが可能である。
【００１５】
基地局１１４ａ、１１４ｂは、任意の適切なワイヤレス通信リンク（例えば、無線周波数（ＲＦ）、マイクロ波、赤外線（ＩＲ）、紫外線（ＵＶ）、可視光など）であり得る無線インターフェース１１６を介して、ＷＴＲＵ１０２ａ、１０２ｂ、１０２ｃ、１０２ｄの１つまたは複数と通信することが可能である。無線インターフェース１１６は、任意の適切なＲＡＴ（無線アクセス技術）を使用して確立され得る。
【００１６】
より具体的には、前述したとおり、通信システム１００は、多元接続システムであることが可能であり、さらにＣＤＭＡ、ＴＤＭＡ、ＯＦＤＭＡ、ＳＣ−ＦＤＭＡなどの１つまたは複数のチャネルアクセススキームを使用することが可能である。例えば、ＲＡＮ１０４における基地局１１４ａ、およびＷＴＲＵ１０２ａ、１０２ｂ、１０２ｃは、ＷＣＤＭＡ（広帯域ＣＤＭＡ）を使用して無線インターフェース１１６を確立することが可能なＵＴＲＡ（ＵＭＴＳ（ユニバーサルモバイルテレコミュニケーションズシステム）地上無線アクセス）などの無線技術を実施することが可能である。ＷＣＤＭＡは、ＨＳＰＡ（高速パケットアクセス）および／またはＨＳＰＡ＋（発展型ＨＳＰＡ）などの通信プロトコルを含むことが可能である。ＨＳＰＡは、ＨＳＤＰＡ（高速ダウンリンクパケットアクセス）および／またはＨＳＵＰＡ（高速アップリンクパケットアクセス）を含み得る。
【００１７】
別の実施形態において、基地局１１４ａおよびＷＴＲＵ１０２ａ、１０２ｂ、１０２ｃは、ＬＴＥ（ロングタームイボリューション）および／またはＬＴＥ−Ａ（ＬＴＥアドバンスト）を使用して無線インターフェース１１６を確立することが可能なＥ−ＵＴＲＡ（発展型ＵＭＴＳ地上無線アクセス）などの無線技術を実施することが可能である。
【００１８】
他の実施形態において、基地局１１４ａ、およびＷＴＲＵ１０２ａ、１０２ｂ、１０２ｃは、ＩＥＥＥ８０２．１６（すなわち、ＷｉＭＡＸ（ワールドワイドインターオペラビリティフォーマイクロウェイブアクセス））、ＣＤＭＡ２０００、ＣＤＭＡ２０００  １Ｘ、ＣＤＭＡ２０００  ＥＶ−ＤＯ、ＩＳ−２０００（暫定標準２０００）、ＩＳ−９５（暫定標準９５）、ＩＳ−８５６（暫定標準８５６）、ＧＳＭ（グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ））、ＥＤＧＥ（エンハストデータレートフォーＧＳＭイボリューション（Ｅｎｈａｎｃｅｄ  Ｄａｔａ  ｒａｔｅ  ｆｏｒ  ＧＳＭ  Ｅｖｏｌｕｔｉｏｎ））、ＧＥＲＡＮ（ＧＳＭ  ＥＤＧＥ）などの無線技術を実施することが可能である。
【００１９】
図１Ａにおける基地局１１４ｂは、例えば、ワイヤレスルータ、ホームノードＢ、ホームｅＮｏｄｅＢ、またはアクセスポイントであることが可能であり、さらに事業所、自宅、車両、キャンパスなどの局所化された区域内でワイヤレス接続を円滑にするために任意の適切なＲＡＴを利用することが可能である。一実施形態において、基地局１１４ｂおよびＷＴＲＵ１０２ｃ、１０２ｄは、ＩＥＥＥ８０２．１１などの無線技術を実施して、ワイヤレスローカルエリアネットワーク（ＷＬＡＮ）を確立することが可能である。別の実施形態において、基地局１１４ｂおよびＷＴＲＵ１０２ｃ、１０２ｄは、ＩＥＥＥ８０２．１５などの無線技術を実施して、ＷＰＡＮ（ワイヤレスパーソナルエリアネットワーク）を確立することが可能である。さらに別の実施形態において、基地局１１４ｂおよびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することが可能である。図１Ａに示されるとおり、基地局１１４ｂはインターネット１１０に対する直接の接続を有し得る。このため、基地局１１４ｂは、コアネットワーク１０６を介してインターネット１１０にアクセスすることを要求されない可能性がある。
【００２０】
ＲＡＮ１０４は、ＷＴＲＵ１０２ａ、１０２ｂ、１０２ｃ、１０２ｄの１つまたは複数に音声、データ、アプリケーション、および／またはＶｏＩＰ（ボイスオーバインターネットプロトコル）サービスを提供するように構成された任意のタイプのネットワークであり得るコアネットワーク１０６と通信状態にあることが可能である。例えば、コアネットワーク１０６は、呼制御、料金請求サービス、モバイルロケーションベースのサービス、プリペイドの通話、インターネット接続、ビデオ配信などを提供することが可能であり、および／またはユーザ認証などの高レベルのセキュリティ機能を実行することが可能である。図１Ａには示されないものの、ＲＡＮ１０４および／またはコアネットワーク１０６は、ＲＡＮ１０４と同一のＲＡＴまたは異なるＲＡＴを使用する他のＲＡＮと直接または関節の通信状態にあることが可能である。例えば、Ｅ−ＵＴＲＡ無線技術を利用していることが可能なＲＡＮ１０４に接続されていることに加えて、コアネットワーク１０６は、ＧＳＭ無線技術を使用する別のＲＡＮ（図示せず）と通信状態にあることも可能である。
【００２１】
また、コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするゲートウェイの役割をすることも可能である。ＰＳＴＮ１０８は、ＰＯＴＳ（旧来の電話サービス）を提供する回線交換電話網を含むことが可能である。インターネット１１０は、ＴＣＰ／ＩＰインターネットプロトコルスイートにおけるＴＣＰ（伝送制御プロトコル）、ＵＤＰ（ユーザデータグラムプロトコル）、およびＩＰ（インターネットプロトコル）などの共通の通信プロトコルを使用する互いに接続されたコンピュータネットワークおよびコンピュータデバイスの地球規模のシステムを含み得る。ネットワーク１１２は、他のサービスプロバイダによって所有され、および／または運用される有線通信ネットワークまたはワイヤレス通信ネットワークを含み得る。例えば、ネットワーク１１２は、ＲＡＮ１０４と同一のＲＡＴまたは異なるＲＡＴを使用することが可能な、１つまたは複数のＲＡＮに接続された別のコアネットワークを含み得る。
【００２２】
通信システム１００内のＷＴＲＵ１０２ａ、１０２ｂ、１０２ｃ、１０２ｄのいくつか、またはすべては、マルチモード能力を含むことができ、すなわち、ＷＴＲＵ１０２ａ、１０２ｂ、１０２ｃ、１０２ｄは、異なるワイヤレスリンクを介して異なるワイヤレスネットワークと通信するための複数のトランシーバを含み得る。例えば、図１Ａに示されるＷＴＲＵ１０２ｃは、セルラベースの無線技術を使用することが可能な基地局１１４ａ、およびＩＥＥＥ８０２無線技術を使用することが可能な基地局１１４ｂと通信するように構成され得る。
【００２３】
図１Ｂは、例示的なＷＴＲＵ１０２のシステム図である。図１Ｂに示されるとおり、ＷＴＲＵ１０２は、プロセッサ１１８と、トランシーバ１２０と、送信／受信要素１２２と、スピーカ／マイクロフォン１２４と、キーパッド１２６と、ディスプレイ／タッチパッド１２８と、非取外し式メモリ１３０と、取外し式メモリ１３２と、電源１３４と、ＧＰＳ（全地球測位システム）チップセット１３６と、他の周辺装置１３８とを含み得る。ＷＴＲＵ１０２は、一実施形態と整合性を保ったままで、以上の要素の任意の部分的組合せを含み得ることが認識されよう。
【００２４】
プロセッサ１１８は、汎用プロセッサ、専用プロセッサ、従来のプロセッサ、ＤＳＰ（デジタルシグナルプロセッサ）、複数のマイクロプロセッサ、ＤＳＰコアに関連する１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）、状態マシンなどであることが可能である。プロセッサ１１８は、ＷＴＲＵ１０２がワイヤレス環境で動作することを可能にする信号符号化、データ処理、電力制御、入出力処理、および／または他の任意の機能を実行することが可能である。プロセッサ１１８は、送信／受信要素１２２に結合され得るトランシーバ１２０に結合され得る。図１Ｂは、プロセッサ１１８とトランシーバ１２０を別々の構成要素として示すが、プロセッサ１１８とトランシーバ１２０は、電子パッケージまたは電子チップの中で統合されてもよいことが認識されよう。
【００２５】
送信／受信要素１２２は、無線インターフェース１１６を介して基地局（例えば、基地局１１４ａ）に信号を送信するように、または基地局（例えば、基地局１１４ａ）から信号を受信するように構成され得る。例えば、一実施形態において、送信／受信要素１２２は、ＲＦ信号を送信するように、および／または受信するように構成されたアンテナであり得る。別の実施形態において、送信／受信要素１２２は、例えば、ＩＲ信号、ＵＶ信号、または可視光信号を送信するように、および／または受信するように構成されたエミッタ／検出器であり得る。さらに別の実施形態において、送信／受信要素１２２は、ＲＦ信号と光信号の両方を送受信するように構成され得る。送信／受信要素１２２は、ワイヤレス信号の任意の組合せを送信するように、および／または受信するように構成され得ることが認識されよう。
【００２６】
さらに、送信／受信要素１２２は、図１Ｂに単一の要素として示されるものの、ＷＴＲＵ１０２は、任意の数の送信／受信要素１２２を含み得る。より具体的には、ＷＴＲＵ１０２は、ＭＩＭＯ技術を使用することが可能である。このため、一実施形態において、ＷＴＲＵ１０２は、無線インターフェース１１６を介してワイヤレス信号を送受信するための２つ以上の送信／受信要素１２２（例えば、複数のアンテナ）を含み得る。
【００２７】
トランシーバ１２０は、送信／受信要素１２２によって送信されるべき信号を変調するように、さらに送信／受信要素１２２によって受信された信号を復調するように構成され得る。前述したとおり、ＷＴＲＵ１０２はマルチモード能力を有し得る。このため、トランシーバ１２０は、ＷＴＲＵ１０２が、例えば、ＵＴＲＡやＩＥＥＥ８０２．１１などの複数のＲＡＴを介して通信することを可能にするための複数のトランシーバを含み得る。
【００２８】
ＷＴＲＵ１０２のプロセッサ１１８は、スピーカ／マイクロフォン１２４、キーパッド１２６、および／またはディスプレイ／タッチパッド１２８（例えば、ＬＣＤ（液晶ディスプレイ）ディスプレイユニットまたはＯＬＥＤ（有機発光ダイオード）ディスプレイユニット）に結合され得るとともに、スピーカ／マイクロフォン１２４、キーパッド１２６、および／またはディスプレイ／タッチパッド１２８からユーザ入力データを受け取ることが可能である。また、プロセッサ１１８は、スピーカ／マイクロフォン１２４、キーパッド１２６、および／またはディスプレイ／タッチパッド１２８にユーザデータを出力することも可能である。さらに、プロセッサ１１８は、非取外し式メモリ１３０、および／または取外し式メモリ１３２などの任意のタイプの適切なメモリからの情報にアクセスすることが可能であり、さらにそのようなメモリの中にデータを格納することが可能である。非取外し式メモリ１３０には、ＲＡＭ（ランダムアクセスメモリ）、ＲＯＭ（読み取り専用メモリ）、ハードディスク、または他の任意のタイプのメモリストレージデバイスが含まれ得る。取外し式メモリ１３２には、ＳＩＭ（加入者ＩＤモジュール）カード、メモリスティック、ＳＤ（セキュアデジタル）メモリカードなどが含まれ得る。他の実施形態において、プロセッサ１１８は、サーバまたは自宅コンピュータ（図示せず）などの、ＷＴＲＵ１０２上に物理的に配置されていないメモリからの情報にアクセスすることが可能であり、さらにそのようなメモリの中にデータを格納することが可能である。
【００２９】
プロセッサ１１８は、電源１３４から電力を受け取ることが可能であり、さらにＷＴＲＵ１０２内のその他の構成要素に対して電力を配電し、および／または制御するように構成され得る。電源１３４は、ＷＴＲＵ１０２に電力を供給するための任意の適切なデバイスであり得る。例えば、電源１３４は、１つまたは複数のバッテリー（例えば、ＮｉＣｄ（ニッケルカドミウム）、ＮｉＺｎ（ニッケル亜鉛）、ＮｉＭＨ（ニッケル水素）、Ｌｉ−ｉｏｎ（リチウムイオン））、太陽電池、燃料電池などを含み得る。
【００３０】
また、プロセッサ１１８は、ＷＴＲＵ１０２の現在の位置に関する位置情報（例えば、緯度と経度）を提供するように構成され得るＧＰＳチップセット１３６に結合されることも可能である。ＧＰＳチップセット１３６からの情報に加えて、またはそのような情報の代わりに、ＷＴＲＵ１０２は、無線インターフェース１１６を介して基地局（例えば、基地局１１４ａ、１１４ｂ）から位置情報を受信し、および／または近くの２つ以上の基地局から受信されている信号のタイミングに基づいて、ＷＴＲＵ１０２の位置を算出してもよい。ＷＴＲＵ１０２は、一実施形態と整合性を保ったままで、任意の適切な位置特定方法によって位置情報を獲得し得ることが認識されよう。
【００３１】
プロセッサ１１８は、さらなる機能、機能、および／または有線接続もしくはワイヤレス接続を提供する１つまたは複数のソフトウェアモジュールおよび／またはハードウェアモジュールを含むことが可能な他の周辺装置１３８にさらに結合され得る。例えば、周辺装置１３８は、加速度計、電子コンパス（ｅ−ｃｏｍｐａｓｓ）、衛星トランシーバ、デジタルカメラ（写真またはビデオのための）、ＵＳＢ（ユニバーサルシリアルバス）ポート、振動デバイス、テレビトランシーバ、ハンズフリーハンドセット、Ｂｌｕｅｔｏｏｔｈ（登録商標）モジュール、ＦＭ（周波数変調）ラジオユニット、デジタル音楽プレーヤ、メディアプレーヤ、ビデオゲームプレーヤモジュール、インターネットブラウザなどを含み得る。
【００３２】
図１Ｃは、一実施形態によるＲＡＮ１０４およびコアネットワーク１０６のシステム図である。ＲＡＮ１０４は、ＩＥＥＥ８０２．１６無線技術を使用して、無線インターフェース１１６を介してＷＴＲＵ１０２ａ、１０２ｂ、１０２ｃと通信するＡＳＮ（アクセスサービスネットワーク）であることが可能である。後段でさらに説明されるとおり、ＷＴＲＵ１０２ａ、１０２ｂ、１０２ｃ、ＲＡＮ１０４、およびコアネットワーク１０６の様々な機能エンティティの間の通信リンクは、基準ポイント(reference point)と規定され得る。
【００３３】
図１Ｃに示されるとおり、ＲＡＮ１０４は、基地局１４０ａ、１４０ｂ、１４０ｃ、およびＡＳＮゲートウェイ１４２を含み得るが、ＲＡＮ１０４は、一実施形態と整合性を保ったままで、任意の数の基地局およびＡＳＮゲートウェイを含み得ることが認識されよう。基地局１４０ａ、１４０ｂ、１４０ｃはそれぞれ、ＲＡＮ１０４内の特定のセル（図示せず）に関連することが可能であり、さらに無線インターフェース１１６を介してＷＴＲＵ１０２ａ、１０２ｂ、１０２ｃと通信するための１つまたは複数のトランシーバを含み得る。一実施形態において、基地局１４０ａ、１４０ｂ、１４０ｃは、ＭＩＭＯ技術を実施することが可能である。このため、例えば、基地局１４０ａは、複数のアンテナを使用して、ＷＴＲＵ１０２ａにワイヤレス信号を送信すること、およびＷＴＲＵ１０２ａからワイヤレス信号を受信することが可能である。また、基地局１４０ａ、１４０ｂ、１４０ｃは、ハンドオフをトリガすること、無線リソース管理、トラフィック分類、ＱｏＳ（サービス品質）ポリシーの執行などのモビリティ管理機能を提供することも可能である。ＡＳＮゲートウェイ１４２は、トラフィック集約ポイントの役割をすることが可能であり、さらにページング、加入者プロファイルをキャッシュすること、コアネットワーク１０６へのルーティングなどを担うことが可能である。
【００３４】
ＷＴＲＵ１０２ａ、１０２ｂ、１０２ｃとＲＡＮ１０４の間の無線インターフェース１１６は、ＩＥＥＥ８０２．１６規格を実施するＲ１基準ポイントと規定され得る。さらに、ＷＴＲＵ１０２ａ、１０２ｂ、１０２ｃのそれぞれが、コアネットワーク１０６を相手に論理インターフェース（図示せず）を確立することが可能である。ＷＴＲＵ１０２ａ、１０２ｂ、１０２ｃとコアネットワーク１０６の間の論理インターフェースは、認証、許可、ＩＰホスト構成管理、および／またはモビリティ管理のために使用され得るＲ２基準ポイントと規定され得る。
【００３５】
基地局１４０ａ、１４０ｂ、１４０ｃのそれぞれの間の通信リンクは、ＷＴＲＵハンドオーバ、および基地局間のデータの転送を円滑にするためのプロトコルを含むＲ８基準ポイントと規定され得る。基地局１４０ａ、１４０ｂ、１４０ｃとＡＳＮゲートウェイ２１５の間の通信リンクは、Ｒ６基準ポイントと規定され得る。Ｒ６基準ポイントは、ＷＴＲＵ１０２ａ、１０２ｂ、１０２ｃのそれぞれに関連するモビリティイベントに基づくモビリティ管理を円滑にするためのプロトコルを含み得る。
【００３６】
図１Ｃに示されるとおり、ＲＡＮ１０４は、コアネットワーク１０６に接続され得る。ＲＡＮ１０４とコアネットワーク１０６の間の通信リンクは、例えば、データ転送能力およびモビリティ管理能力を円滑にするためのプロトコルを含むＲ３基準ポイントと規定され得る。コアネットワーク１０６は、ＭＩＰ−ＨＡ（モバイルＩＰホームエージェント）１４４と、ＡＡＡ（認証、許可、アカウンティング）サーバ１４６と、ゲートウェイ１４８とを含み得る。以上の要素のそれぞれは、コアネットワーク１０６の一部として図示されるが、これらの要素の任意の要素が、コアネットワーク運用者以外のエンティティによって所有され、および／または運用され得ることが認識されよう。
【００３７】
ＭＩＰ−ＨＡは、ＩＰアドレス管理を担うことが可能であり、さらにＷＴＲＵ１０２ａ、１０２ｂ、１０２ｃが異なるＡＳＮ間で、および／または異なるコアネットワーク間でローミングすることを可能にすることができる。ＭＩＰ−ＨＡ１４４は、ＷＴＲＵ１０２ａ、１０２ｂ、１０２ｃにインターネット１１０などのパケット交換ネットワークへのアクセスを提供して、ＷＴＲＵ１０２ａ、１０２ｂ、１０２ｃとＩＰ対応のデバイスの間の通信を円滑にすることが可能である。ＡＡＡサーバ１４６は、ユーザ認証を担うことが可能であり、さらにユーザサービスをサポートすることを担うことが可能である。ゲートウェイ１４８は、他のネットワークとの相互動作を円滑にすることが可能である。例えば、ゲートウェイ１４８は、ＰＳＴＮ１０８などの回線交換網へのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を円滑にすることが可能である。さらに、ゲートウェイ１４８は、他のサービスプロバイダによって所有され、および／または運用される他の有線ネットワークまたはワイヤレスネットワークを含み得るネットワーク１１２へのアクセスをＷＴＲＵ１０２ａ、１０２ｂ、１０２ｃに提供することが可能である。
【００３８】
図１Ｃに示されないが、ＲＡＮ１０４は他のＡＳＮに接続されることが可能であり、さらにコアネットワーク１０６は、他のコアネットワークに接続され得ることが認識されよう。ＲＡＮ１０４とその他のＡＳＮの間の通信リンクは、ＲＡＮ１０４とその他のＡＳＮの間でＷＴＲＵ１０２ａ、１０２ｂ、１０２ｃのモビリティを調整するためのプロトコルを含み得るＲ４基準ポイントと規定され得る。コアネットワーク１０６とその他のコアネットワークの間の通信リンクは、ホームコアネットワークと移動先コアネットワークの間の相互動作を円滑にするためのプロトコルを含み得るＲ５基準ポイントと規定され得る。
【００３９】
図２は、情報を転送することを目的とする媒体アクセス制御（ＭＡＣ）フレーム内のＩＥ（情報要素）１６０を示す。ＩＥの第１のフィールドは、ＩＥに固有であるＩＤを含む要素ＩＤ（アイデンティティ）フィールド１６５である。フィールド１６５の後に、ＩＥの長さを含む長さフィールド１７０が続く。長さフィールド１７０の後に、ＩＥ１６０に固有である可変の数のフィールド１７５1、１７５2、．．．、１７５nが続く。
【００４０】
図３は、複数のＷＴＲＵ１０２と、ノードＢ１４０と、ＣＲＮＣ（制御する無線ネットワークコントローラ）１４７と、ＳＲＮＣ（サービング無線ネットワークコントローラ）１４７と、コアネットワーク１５０とを含むワイヤレス通信システム２００を示す。
【００４１】
図３に示されるとおり、ＷＴＲＵ１０２は、ＣＲＮＣ１４５およびＳＲＮＣ１４７と通信状態にあるノードＢ１４０と通信状態にある。３つのＷＴＲＵ１０２、１つのノードＢ１４０、１つのＣＲＮＣ１４５、および１つのＳＲＮＣ１４７が図３に示されるものの、ワイヤレスデバイスと有線デバイスの任意の組合せがワイヤレス通信システム２００に含められることが可能であることに留意されたい。
【００４２】
図４は、図２のワイヤレス通信システム２００のＷＴＲＵ１０２およびノードＢ１４０の機能ブロック図である。図４に示されるとおり、ＷＴＲＵ１０２は、ノードＢ１２０と通信状態にあり、さらにＷＴＲＵ１０２とノードＢ１２０はともに、ＷＬＡＮのために非常に高いスループット動作のシグナリングをもたらすための方法および装置を実行するように構成される。
【００４３】
通常のＷＴＲＵに見られる可能性がある構成要素に加えて、ＷＴＲＵ１０２は、プロセッサ１１５と、受信機１２１と、送信機１１７と、メモリ１１３と、アンテナ１１９とを含む。メモリ１１３は、オペレーティングシステム、アプリケーションなどを含むソフトウェアを格納するように備えられる。プロセッサ１１５は、ＷＬＡＮのために非常に高いスループット動作のシグナリングをもたらすための方法および装置を、単独で、またはソフトウェアに関連して実行するように備えられる。受信機１２１および送信機１１７は、プロセッサ１１５と通信状態にある。アンテナ１１９は、受信機１２１と送信機１１７の両方と通信状態にあり、ワイヤレスデータの送信および受信を円滑にする。
【００４４】
通常の基地局に見られる可能性がある構成要素に加えて、ノードＢ１４０は、プロセッサ１２５と、受信機１３１と、送信機１２７と、アンテナ１２９とを含む。プロセッサ１２５は、ＷＬＡＮのために非常に高いスループット動作のシグナリングをもたらすための方法および装置を実行するように構成される。受信機１３１および送信機１２７は、プロセッサ１２５と通信状態にある。アンテナ１２９は、受信機１２３と送信機１２７の両方と通信状態にあり、ワイヤレスデータの送信および受信を円滑にする。
【００４５】
インフラストラクチャＢＳＳ（基本サービスセット）モードにおけるワイヤレスローカルエリアネットワーク（ＷＬＡＮ）は、ＢＳＳに関するアクセスポイント（ＡＰ）と、そのＡＰに関連付けられた１つまたは複数のワイヤレス送信／受信ユニット（ＷＴＲＵ）とを有する。ＡＰは、ＢＳＳに出入りするトラフィックを伝送するＤＳ（配信システム）または別のタイプの有線／ワイヤレスネットワークに対するアクセスまたはインターフェースを有することが可能である。ＢＳＳの外部を発信元とするＷＴＲＵに送られたトラフィックは、ＡＰ経由で着信し、ＷＴＲＵに配信される。ＷＴＲＵを発信元とし、ＢＳＳの外部を宛先とするトラフィックは、それぞれの宛先に配信されるようにＡＰに送られる。また、ＢＳＳ内のＷＴＲＵ間のトラフィックもやはり、ＡＰ経由で送られることが可能であり、送信元ＷＴＲＵがＡＰにトラフィックを送り、ＡＰがトラフィックを宛先ＷＴＲＵに配信する。ＢＳＳ内のＷＴＲＵ間のそのようなトラフィックは、ピアツーピアトラフィックである。そのようなピアツーピアトラフィックは、直接リンクセットアップ（ＤＬＳ）に関してＩＥＥＥ８０２．１１ｅで説明されるような、またはトンネリングされるＤＬＳに関してＩＥＥＥ８０２．１１ｚで説明されるようなＤＳＬを使用して、送信元ＷＴＲＵと宛先ＷＴＲＵの間で直接に送られることも可能である。
【００４６】
ＶＨＴ動作情報
ＶＨＴ  ＷＬＡＮにおいて、媒体アクセス制御（ＭＡＣ）層および物理層におけるいくつかのＶＨＴ機能が、必要とされ得る。これらのＶＨＴ機能は、ＭＡＣ層の上で１００Ｍｂｐｓを超えるデータレートのために設計されているＶＨＴ  ＷＬＡＮに固有であり得る。所与のＶＨＴ機能は、複数のパラメータおよびオプションに関連付けられることができる。さらに、それらの機能パラメータは、複数の値をとることができる。ときとして、ＶＨＴ機能自体がオプションであり得る。その結果、選択された機能オプションおよびパラメータに基づいて、インフラストラクチャＢＳＳにおいてＶＨＴ  ＡＰまたはＶＨＴ  ＷＴＲＵに関して複数のモードの動作が存在することも可能である。このことは、ＶＨＴ  ＡＰおよびＶＨＴ  ＷＴＲＵの異なる実施形態に起因する可能性がある。しかし、このことは、すべてのＶＨＴ  ＷＴＲＵが同一の実施形態を有する場合でも、選択される異なる機能オプションおよびパラメータのために、当てはまり得る。したがって、ＶＨＴ  ＡＰは、ＢＳＳ動作が様々な動作シナリオに適応するように動的な仕方で、ＶＨＴ機能、ＶＨＴ機能オプション、およびＶＨＴ機能パラメータを設定することができる可能性がある。
【００４７】
ＢＳＳにおけるＷＴＲＵにＶＨＴ動作情報を送ることによって、ＶＨＴ  ＡＰは、ＢＳＳにおけるＶＨＴ  ＷＴＲＵの動作を制御することが可能であり、さらに様々な動作シナリオに対する適応を許すことが可能である。これらの様々な動作シナリオは、例えば、異なるトラフィックタイプ、異なるトラフィック負荷、または異なるＱｏＳ（サービス品質）要件に起因して生じ得る。例えば、１つのシナリオにおいて、レガシーＷＴＲＵ（すなわち、より古い技術からの非ＶＨＴ  ＷＴＲＵ）が、ＢＳＳに関連付けられることが可能であり、ＶＨＴ  ＡＰが、このことをＶＨＴ動作情報の一環として示して、ＶＨＴ  ＷＴＲＵがそのレガシーＷＴＲＵと並存するように動作するようにする必要がある。
【００４８】
ＶＨＴ動作情報は、ＶＨＴ  ＡＰによって、ビーコンフレーム、二次／補助ビーコンフレーム、またはプローブ応答フレームなどの管理フレーム内になど、任意の新たな、もしくは既存の管理／制御／データフレーム内に含められることが可能である。
【００４９】
図５は、管理フレーム内で送られるＶＨＴ動作情報の例を示す。ＶＨＴ  ＷＴＲＵ５００が、関連付け要求フレーム５０４をＶＨＴ  ＡＰ５０２に送る。関連付け要求フレーム５０４は、アクセスポイントがＷＴＲＵにリソースを割り当てること、およびＷＴＲＵと同期することを可能にする。関連付け要求フレーム５０４は、ＷＴＲＵについての情報（例えば、サポートされるデータレート）を伝送する。ＡＣＫ５０６を送った後、ＶＨＴ  ＡＰ５０２は、後段の表１で詳細に説明されるようなＶＨＴ動作情報を含む関連付け応答フレーム５０８を送る。また、関連付け応答フレーム５０８は、関連付けを要求するＷＴＲＵ５００に対する受入れ通知または拒否通知を含むことも可能である。アクセスポイント５０２がＷＴＲＵを受け入れた場合、応答フレーム５０８は、関連付けＩＤおよびサポートされるデータレートなどの関連付けに関する情報を含む。ＡＣＫ５１０を送った後、ＶＨＴ  ＷＴＲＵ５００は、ＶＨＴ  ＷＴＲＵの動作モードを調整することが可能である（５１２）。
【００５０】
ＶＨＴ動作情報は、新たに定義されるＶＨＴ動作ＩＥとしてフォーマットされ得る。図６が、そのようなＶＨＴ動作ＩＥの構造を示す。ＶＨＴ動作ＩＥの要素ＩＤ５６５は、ＶＨＴ動作ＩＥのために特別に新たに定義された値を有する。長さフィールド５７０は、長さフィールド５７０の後に続くＶＨＴ動作ＩＥの長さを含む。要素ＩＤフィールド５６５および長さフィールドの後に続くＶＨＴ動作ＩＥの中のフィールド５７５は、後段で説明されるＶＨＴ動作情報のいくらか、またはすべてを含み得る。例えば、図６では、「ｎ」個のそのようなフィールドが存在する。ＶＨＴ動作情報に対するこれらのフィールドの任意の特定のマッピングを選択することが可能であり、さらに本発明の範囲内でいくつかのマッピングが可能であり、許されることに留意されたい。
【００５１】
ＶＨＴ  ＡＰは、ＶＨＴ動作ＩＥを使用することによってＢＳＳにおけるＶＨＴ  ＷＴＲＵの動作を制御する。ＶＨＴ動作ＩＥは、ＡＰによって、新たな任意の、もしくは既存の管理／制御／データフレーム内に、特に、ビーコンフレーム、二次／補助ビーコンフレーム、またはプローブ応答フレームなどの管理フレーム内に含められることが可能である。
【００５２】
ＶＨＴ動作情報またはＶＨＴ動作ＩＥは、以下の表１からの１つまたは複数のＶＨＴ動作情報項目と関係する情報を含み得る。ＶＨＴ動作情報は、表１の中の各ＶＨＴ動作情報に関するパラメータ、オプション、および動作通知を含み得る。
【００５３】
【表１−１】
2013511215.tif 000003
【００５４】
【表１−２】
2013511215.tif 000004
【００５５】
【表１−３】
2013511215.tif 000005
【００５６】
【表２】
2013511215.tif 000006
【００５７】
ＶＨＴ動作情報またはＶＨＴ動作ＩＥは、ＦＴ（高速遷移）アクション要求フレームやＦＴアクション応答フレームなどのシグナリングメッセージの中に含められることが可能である。ＶＨＴ動作情報またはＶＨＴ動作ＩＥは、測定パイロットフレーム、ＡＰチャネル要求要素、ＡＰチャネルレポート要素、近隣レポート要素、近隣レポート要求フレーム、近隣レポート応答フレームなどのシグナリングの中に含められてもよい。
【００５８】
近隣レポート要素のオプションの下位要素(subelement)は、新たな下位要素ＩＤが割り当てられている近隣ＡＰ（報告が行われている）に関するＶＨＴ動作要素（ＶＨＴ動作ＩＥと同一のフォーマットを有する）を含み得る。近隣レポート要素のこれらの変更が、図７に示される。要素ＩＤ７６５の後に続いて、長さフィールド７７０は、可変であり、さらにオプションの下位要素の数および長さに依存する。各レポート要素は、ＡＰを記述することが可能であり、さらにＢＳＳＩＤ７７５、ＢＳＳＩＤ情報７８０、規制クラス７８５、チャネル番号７９０、ＰＨＹタイプ７９５から成り、さらにオプションの下位要素８００を含み得る。ＢＳＳＩＤ７７５は、報告が行われているＢＳＳのＢＳＳＩＤであることが可能である。近隣レポート要素の中の後続のフィールドは、このＢＳＳに関係する。ＢＳＳＩＤ情報フィールド７８０は、近隣サービスセット遷移候補を決定するのに役立つように使用され得る。
【００５９】
ＶＨＴ動作情報またはＶＨＴ動作ＩＥは、ＢＳＳ遷移管理クエリ／要求／応答フレームなどのＩＥＥＥ８０２．１１ｖシグナリングの中に含められることが可能である。
【００６０】
現在のＶＨＴ動作情報は、所与のフレーム内でＨＴ動作情報とともに、ＶＨＴ動作情報の任意の情報を表す１ビットまたは複数のビットを含み得る。
ＶＨＴ能力情報
所与のＶＨＴ機能には、複数のパラメータおよび／またはオプションが関連付けられていることが可能である。さらに、機能パラメータは、複数の値を表すことができる。ＶＨＴ機能自体、オプションであり得る。このことは、選択された機能オプションおよび／またはパラメータに基づいて、ＶＨＴ  ＡＰまたはＶＨＴ  ＷＴＲＵに関する複数のモードを生じさせる可能性がある。
【００６１】
同様に、オプションの機能のため、ＶＨＴ  ＷＴＲＵおよびＶＨＴ  ＡＰの複数の可能な実施形態が存在し得る。このことは、或るＶＨＴ  ＡＰまたはＶＨＴ  ＷＴＲＵが或るセットの機能および／またはパラメータをサポートする一方で、別のＶＨＴ  ＡＰまたはＶＨＴ  ＷＴＲＵが異なるセットの機能および／またはパラメータをサポートする状況を生じさせる可能性がある。したがって、各ＶＨＴ  ＡＰまたは各ＶＨＴ  ＷＴＲＵは、通信リンクを確立するためにそのＶＨＴ  ＡＰまたはＶＨＴ  ＷＴＲＵの能力、例えば、機能および／またはパラメータのセットを公示することが可能である。通信リンクに関与するＶＨＴデバイス（ＶＨＴ  ＡＰおよび／またはＶＨＴ  ＷＴＲＵ）の能力に基づいて、通信リンクセットアップ中に受入れ可能な能力のネゴシエーションが存在することが可能である。
【００６２】
インフラストラクチャＢＳＳシナリオ、独立したＢＳＳ／アドホックシナリオ、または直接リンクセットアップシナリオにおけるＶＨＴ  ＷＴＲＵが、ＶＨＴ能力を示すことが可能である。インフラストラクチャＢＳＳシナリオにおいて、ＶＨＴ  ＡＰが、ＶＨＴ能力を示すことも可能である。
【００６３】
ＡＰおよびＷＴＲＵは、任意の新たな、もしくは既存の管理／制御／データフレーム内で、例えば、関連付けフレーム、再関連付けフレーム、またはプローブフレームもしくはビーコンフレームなどの管理フレーム内で、ＶＨＴ能力情報を示すことが可能である。ＶＨＴ能力情報は、既存のＩＥ、例えば、８０２．１１能力ＩＥに追加され得る。代替として、ＶＨＴ能力情報は、新たに定義された能力ＩＥの中で伝送されてもよい。
【００６４】
図８は、ＶＨＴ  ＡＰもしくはＶＨＴ  ＷＴＲＵ１  ６０２と第２のＶＨＴ  ＷＴＲＵ１  ６００の間のＶＨＴ能力情報交換の例の図である。ＶＨＴ  ＷＴＲＵ２が、ＶＨＴ能力情報を含むアクション要求フレーム６０４をＶＨＴ  ＡＰもしくはＶＨＴ  ＷＴＲＵ６０２に送る。ＶＨＴ  ＡＰもしくはＶＨＴ  ＷＴＲＵ１  ６０２がＡＣＫフレーム６０６を戻し、またはオプションとして、ブロードキャストメッセージもしくは「アクションＡＣＫなし（ａｃｔｉｏｎ  ｎｏ  ａｃｋ）」メッセージに応答して、ＡＣＫフレーム６０６を戻さない。ＶＨＴ  ＡＰもしくはＶＨＴ  ＷＴＲＵ１  ６０２が、ＶＨＴ能力情報を含む管理フレーム／アクション応答フレーム６０８でＶＨＴ  ＷＴＲＵ６００に応答する。ＶＨＴ  ＷＴＲＵ２  ６００は、そのメッセージがブロードキャストメッセージもしくはアクションＡＣＫなしメッセージでない限り、ＡＣＫメッセージ６１０を戻すことが可能である。
【００６５】
一実施形態において、ＶＨＴ能力情報は、ＶＨＴ能力ＩＥとしてフォーマットされ得る。図９が、例示的なＶＨＴ能力の構造を示す。ＶＨＴ能力ＩＥの要素ＩＤ６６５は、ＶＨＴ能力ＩＥのために特別に新たに定義された値を有することが可能である。長さフィールド６７０は、要素ＩＤフィールド６６５の後に続くＶＨＴ能力ＩＥの長さを含み得る。要素ＩＤフィールド６６５および長さフィールド６７０の後に続くＶＨＴ能力ＩＥの中のフィールド６７５は、後段で説明されるＶＨＴ能力情報のいくらか、またはすべてを含み得る。例えば、図９では、「ｎ」個のそのようなフィールドが存在する。ＶＨＴ能力情報に対するこれらのフィールドの任意の特定のマッピングを選択することが可能であり、いくつかのマッピングが可能であってよいことに留意されたい。
【００６６】
ＶＨＴ能力ＩＥは、ＡＰまたはＷＴＲＵによって、任意の新たな、もしくは既存の管理／制御／データフレーム内に、例えば、ビーコンフレーム、二次ビーコンフレームもしくは補助ビーコンフレーム、関連付け要求フレーム、関連付け応答フレーム、再関連付け要求フレーム、再関連付け応答フレーム、プローブ要求フレームもしくはプローブ応答フレームなどの管理フレーム内に含められることが可能である。
【００６７】
ＶＨＴ能力情報またはＶＨＴ能力ＩＥは、表３からの１つまたは複数のＶＨＴ能力情報項目と関係する情報を含み得る。ＶＨＴ能力情報は、表３の中の各ＶＨＴ能力情報に関するオプションおよび能力通知を含み得る。
【００６８】
【表３−１】
2013511215.tif 000007
【００６９】
【表３−２】
2013511215.tif 000008
【００７０】
【表３−３】
2013511215.tif 000009
【００７１】
【表３−４】
2013511215.tif 000010
【００７２】
【表３−５】
2013511215.tif 000011
【００７３】
【表３−６】
2013511215.tif 000012
【００７４】
【表３−７】
2013511215.tif 000013
【００７５】
【表３−８】
2013511215.tif 000014
【００７６】
ＶＨＴ能力情報またはＶＨＴ能力ＩＥは、ＦＴ（高速遷移）アクション要求フレームやＦＴアクション応答フレームなどのシグナリングメッセージの中に含められることが可能である。また、ＶＨＴ動作情報またはＶＨＴ動作ＩＥは、測定パイロットフレーム、ＡＰチャネル要求要素、ＡＰチャネルレポート要素、近隣レポート要素、近隣レポート要求フレーム、近隣レポート応答フレームなどのシグナリングの中に含められてもよい。
【００７７】
一実施形態において、近隣レポート要素の中のＢＳＳＩＤ  ＩＥは、ＶＨＴを示す１ビットまたは複数のビットを含み得る。ＢＳＳＩＤ  ＩＥが、所与の値に設定される場合、示されるＢＳＳＩＤによって表されるＡＰは、近隣レポート要素を送るＡＰと同一のＶＨＴ能力要素の内容を有するＶＨＴ  ＡＰであり得る。さらに、近隣レポート要素のオプションの下位要素(subelement)は、新たな下位要素ＩＤが割り当てられて報告が行われている隣接ＡＰに関するＶＨＴ能力要素（ＶＨＴ能力ＩＥと同一のフォーマットを有する）を含み得る。
【００７８】
近隣レポート要素のこれらの変更が、図１０に示される。要素ＩＤ８６５の後に続いて、長さフィールド８７０は、可変であり、さらにオプションの下位要素の数および長さに依存する。各レポート要素は、ＡＰを記述することが可能であり、さらにＢＳＳＩＤ８７５、ＢＳＳＩＤ情報８８０、規制クラス８８５、チャネル番号８９０、ＰＨＹタイプ８９５から成り、さらにオプションの下位要素９００を含み得る。ＢＳＳＩＤ８７５は、報告が行われているＢＳＳのＢＳＳＩＤであることが可能である。近隣レポート要素の中の後続のフィールドは、このＢＳＳに関係することが可能である。ＢＳＳＩＤ情報フィールド８８０は、近隣サービスセット遷移候補を決定するのに役立つように使用され得る。
【００７９】
ＶＨＴ能力情報またはＶＨＴ能力ＩＥは、ＢＳＳ遷移管理クエリ／要求／応答フレームなどのシグナリングの中に含められることが可能である。ＶＨＴ能力情報またはＶＨＴ能力ＩＥは、任意の直接リンクセットアップ（ＤＬＳ）フレーム内に、例えば、ＴＤＬＳ（トンネリングされるＤＬＳ）フレーム内に含められることが可能である。例えば、ＶＨＴ能力ＩＥは、ＴＤＬＳセットアップ要求／応答／フレーム内に含められることが可能である。また、ＶＨＴ能力ＩＥは、ＤＬＳセットアップ要求／応答／フレーム内に含められることも可能である。
【００８０】
一実施形態において、８０２．１１ＨＴ（高スループット）能力情報は、所与のフレーム内にＨＴ能力情報とともに、表３の中のＶＨＴ能力情報の任意の情報を表す１ビットまたは複数のビットを含むことが可能である。
【００８１】
実施形態
１．非常に高いスループット（ＶＨＴ）能力情報を含む管理フレームを受信する受信機を備えるワイヤレス送信／受信ユニット（ＷＴＲＵ）。
【００８２】
２．ＶＨＴ能力情報を要求する管理フレーム要求を送信する送信機を備える実施形態１のＷＴＲＵ。
【００８３】
３．ＶＨＴ能力情報が、非隣接チャネルに関する送信能力を含む実施形態１〜２のＷＴＲＵ。
【００８４】
４．ＶＨＴ能力情報が、非隣接チャネルに関する受信能力を含む実施形態１〜３のＷＴＲＵ。
【００８５】
５．ＶＨＴ能力情報が、１つまたは複数の二次チャネルに関する二次チャネルオフセットを備える実施形態１〜４のＷＴＲＵ。
【００８６】
６．ＶＨＴ能力情報が、ＶＨＴ  ＷＴＲＵチャネル幅を備える実施形態１〜５のＷＴＲＵ。
【００８７】
７．ＶＨＴ能力情報が、ＶＨＴ逆方向プロトコルレスポンダ能力を含む実施形態１〜６のＷＴＲＵ。
【００８８】
８．ＶＨＴ能力情報が、電力制御のための測距シグナリング能力を含む実施形態１〜７のＷＴＲＵ。
【００８９】
９．ＶＨＴ能力情報が、使用されているＶＨＴのための電力制御を備える実施形態１〜８のＷＴＲＵ。
【００９０】
１０．ＶＨＴ能力情報が、同期のための測距シグナリング能力を含む実施形態１〜９のＷＴＲＵ。
【００９１】
１１．シグナリングのための測距シグナリング能力が、送信タイミングオフセットを備える実施形態１〜１０のＷＴＲＵ。
【００９２】
１２．ＶＨＴ能力情報が、周波数再使用能力を含む実施形態１〜１１のＷＴＲＵ。
【００９３】
１３．ＶＨＴ能力情報が、ＯＢＳＳ（重なり合う基本サービスセット）管理能力を含む実施形態１〜１２のＷＴＲＵ。
【００９４】
１４．ＶＨＴ能力情報が、ＶＨＴチャネル走査能力を含む実施形態１〜１３のＷＴＲＵ。
【００９５】
１５．ＶＨＴ能力情報が、並存能力を含む実施形態１〜１４のＷＴＲＵ。
【００９６】
１６．管理フレームが、ビーコンの中に備えられる実施形態１〜１５のＷＴＲＵ。
【００９７】
１７．非常に高いスループットＶＨＴ能力情報をワイヤレス送信／受信ユニット（ＷＴＲＵ）から通信する方法であって、ＶＨＴ能力情報を要求する管理フレーム要求を送信するステップと、非常に高いスループット（ＶＨＴ）能力情報を含む管理フレームを受信するステップと、ＶＨＴ能力情報を要求する管理フレーム要求を送信するステップとを備える方法。
【００９８】
１８．非常に高いスループット（ＶＨＴ）動作情報を含む管理フレームを受信する受信機を備えるワイヤレス送信／受信ユニット（ＷＴＲＵ）。
【００９９】
１９．関連付け要求情報を含む管理フレームを送信する送信機をさらに備える実施形態１８のＷＴＲＵ。
【０１００】
２０．ＶＨＴ動作情報が、周波数再使用機構の通知を含む実施形態１８〜１９のＷＴＲＵ。
【０１０１】
２１．周波数再使用機構の通知が、アクセスポイント（ＡＰ）により近いＷＴＲＵに関するスペクトル効率を高めることに関する情報を含む実施形態１８〜２０のＷＴＲＵ。
【０１０２】
２２．非常に高いスループット（ＶＨＴ）動作情報を送信する方法であって、ＶＨＴ動作ＩＥ（情報要素）を送信するステップを含み、ＩＥが、ワイヤレス送信／受信ユニット（ＷＴＲＵ）に送信するのに使用されるＶＨＴ一次チャネル、二次チャネルオフセット、およびＶＨＴ  ＷＴＲＵチャネル幅に関連付けられた情報を有する方法。
【０１０３】
前述の他の多くの変形が可能である。いくつかの変形は、フレーム／メッセージフォーマットにおける新たに追加されたフィールドの順序を単に変更することによって生み出されることが可能である。提案される新たなフィールドのいくつかだけを使用することによって、他の変形が可能である。すべてのそのような変形は、本発明の範囲に含まれることが十分に認識され、確認されなければならない。
【０１０４】
複数のＷＴＲＵを伴うアクセスポイントを有するネットワークが、データリンク層、ＭＡＣ、およびネットワーク層において、ＡＳＩＣ（特定用途向け集積回路）として、ＤＳＰ（デジタルシグナルプロセッサ）として、またはソフトウェアとして実施され得る。本発明は、ＲＲＭ（無線リソース管理）およびＲＲＣ（無線リソースコントローラ）を使用するＩＥＥＥ８０２．１１ベースのＷＬＡＮシステムまたはＯＦＤＭ／ＭＩＭＯと関係する。
【０１０５】
特徴および要素は、特定の組合せで、前段で説明されるものの、各特徴、または各要素は、他の特徴および要素を伴わずに単独で使用されることも、他の特徴および要素とともに、または他の特徴および要素を伴わずに様々に組み合わせて使用されることも可能である。本明細書で提供される方法および流れ図は、汎用コンピュータまたはプロセッサによって実行されるようにコンピュータ可読記憶媒体に組み込まれたコンピュータプログラム、ソフトウェア、またはファームウェアで実施されることが可能である。コンピュータ可読記憶媒体の例には、ＲＯＭ（読み取り専用メモリ）、ＲＡＭ（ランダムアクセスメモリ）、レジスタ、キャッシュメモリ、半導体メモリデバイス、内部ハードディスクおよび取外し式ディスクなどの磁気媒体、光磁気媒体、ならびにＣＤ−ＲＯＭディスクおよびＤＶＤ（デジタルバーサタイルディスク）などの光媒体が含まれる。
【０１０６】
適切なプロセッサには、例として、汎用プロセッサ、専用プロセッサ、従来のプロセッサ、ＤＳＰ（デジタルシグナルプロセッサ）、複数のマイクロプロセッサ、ＤＳＰに関連する１つまたは複数のマイクロプロセッサ、コントローラ、マイクロコントローラ、ＡＳＩＣ（特定用途向け集積回路）、ＡＳＳＰ（特定用途向け標準品）、ＦＰＧＡ（フィールドプログラマブルゲートアレイ）回路、他の任意のＩＣ（集積回路）、および／または状態マシンが含まれる。
【０１０７】
ソフトウェアに関連するプロセッサが、ワイヤレス送信／受信ユニット（ＷＴＲＵ）、ユーザ機器（ＵＥ）、端末装置、基地局、ＭＭＥ（モビリティ管理エンティティ）もしくはＥＰＣ（発展型パケットコア）、または任意のホストコンピュータにおいて使用されるように無線周波数トランシーバを実施するのに使用され得る。ＷＴＲＵは、ＳＤＲ（ソフトウェア無線(software defined radio)）、ならびにカメラ、ビデオカメラモジュール、テレビ電話、スピーカフォン、振動デバイス、スピーカ、マイクロフォン、テレビトランシーバ、ハンズフリーヘッドセット、キーボード、Ｂｌｕｅｔｏｏｔｈ（登録商標）モジュール、ＦＭ（周波数変調）無線ユニット、ＮＦＣ（近距離通信）モジュール、ＬＣＤ（液晶ディスプレイ）ディスプレイユニット、ＯＬＥＤ（有機発光ダイオード）ディスプレイユニット、デジタル音楽プレーヤ、メディアプレーヤ、ビデオゲームプレーヤモジュール、インターネットブラウザ、および／または任意のワイヤレスローカルエリアネットワーク（ＷＬＡＮ）モジュールもしくはＵＷＢ（超広帯域）モジュールなどの他の構成要素を含むハードウェアおよび／またはソフトウェアで実施されるモジュールと連携して使用され得る。
【図１Ａ】
2013511215.tif 000015
【図１Ｂ】
2013511215.tif 000016
【図１Ｃ】
2013511215.tif 000017
【図２】
2013511215.tif 000018
【図３】
2013511215.tif 000019
【図４】
2013511215.tif 000020
【図５】
2013511215.tif 000021
【図６】
2013511215.tif 000022
【図７】
2013511215.tif 000023
【図８】
2013511215.tif 000024
【図９】
2013511215.tif 000025
【図１０】
2013511215.tif 000026
【手続補正書】
【提出日】平成24年7月11日(2012.7.11)
【手続補正１】
【補正対象書類名】特許請求の範囲
【補正対象項目名】全文
【補正方法】変更
【補正の内容】
【特許請求の範囲】
【請求項１】
非常に高いスループット（ＶＨＴ）能力情報を含む管理フレームを受信する受信機を備えるワイヤレス送信／受信ユニット（ＷＴＲＵ）であって、
前記ＶＨＴ能力情報は、少なくとも３つのチャネル幅を含むセットを有する、サポートされるチャネルを含むことを特徴とするＷＴＲＵ。
【請求項２】
ＶＨＴ能力情報を要求する管理フレーム要求を送信する送信機を備えることを特徴とする請求項１に記載のＷＴＲＵ。
【請求項３】
前記ＶＨＴ能力情報は、非隣接チャネルに関する送信能力を含むことを特徴とする請求項１に記載のＷＴＲＵ。
【請求項４】
前記ＶＨＴ能力情報は、非隣接チャネルに関する受信能力を含むことを特徴とする請求項１に記載のＷＴＲＵ。
【請求項５】
前記ＶＨＴ能力情報は、１つまたは複数の二次チャネルに関する二次チャネルオフセットを含むことを特徴とする請求項１に記載のＷＴＲＵ。
【請求項６】
前記ＶＨＴ能力情報は、ＶＨＴ  ＷＴＲＵチャネル幅を含むことを特徴とする請求項１に記載のＷＴＲＵ。
【請求項７】
前記ＶＨＴ能力情報は、ＶＨＴ逆方向プロトコルレスポンダ能力を含むことを特徴とする請求項１に記載のＷＴＲＵ。
【請求項８】
前記ＶＨＴ能力情報は、電力制御のための測距シグナリング能力を含むことを特徴とする請求項１に記載のＷＴＲＵ。
【請求項９】
前記ＶＨＴ能力情報は、使用されているＶＨＴに関する電力制御を含むことを特徴とする請求項１に記載のＷＴＲＵ。
【請求項１０】
前記ＶＨＴ能力情報は、同期のための測距シグナリング能力を含むことを特徴とする請求項１に記載のＷＴＲＵ。
【請求項１１】
シグナリングのための前記測距シグナリング能力は、送信タイミングオフセットを含むことを特徴とする請求項１０に記載のＷＴＲＵ。
【請求項１２】
前記ＶＨＴ能力情報は、周波数再使用能力を含むことを特徴とする請求項１に記載のＷＴＲＵ。
【請求項１３】
前記ＶＨＴ能力情報は、ＯＢＳＳ（重なり合う基本サービスセット）管理能力を含むことを特徴とする請求項１に記載のＷＴＲＵ。
【請求項１４】
前記ＶＨＴ能力情報は、ＶＨＴチャネル走査能力を含むことを特徴とする請求項１に記載のＷＴＲＵ。
【請求項１５】
前記ＶＨＴ能力情報は、並存能力を含むことを特徴とする請求項１に記載のＷＴＲＵ。
【請求項１６】
前記管理フレームは、ビーコンの中に備えられることを特徴とする請求項１に記載のＷＴＲＵ。
【請求項１７】
非常に高いスループットのＶＨＴ能力情報をワイヤレス送信／受信ユニット（ＷＴＲＵ）から通信する方法であって、
ＶＨＴ能力情報を要求する管理フレーム要求を送信するステップであって、少なくとも３つのチャネル幅を含むセットを有するサポートされるチャネルが前記ＶＨＴ能力情報に含まれる、ステップと、
非常に高いスループット（ＶＨＴ）能力情報を含む管理フレームを受信するステップと、
ＶＨＴ能力情報を要求する管理フレーム要求を送信するステップと
を含むことを特徴とする方法。
【請求項１８】
非常に高いスループット（ＶＨＴ）動作情報を含む管理フレームを受信する受信機を備えるワイヤレス送信／受信ユニット（ＷＴＲＵ）であって、
前記ＶＨＴ能力情報は、ＶＨＴ逆方向プロトコルレスポンダ能力、同期のための測距シグナリングのための能力、及び、並存のための能力を含むことを特徴とするＷＴＲＵ。
【請求項１９】
関連付け要求情報を含む管理フレームを送信する送信機をさらに備えることを特徴とする請求項１８に記載のＷＴＲＵ。
【請求項２０】
前記ＶＨＴ動作情報は、周波数再使用機構の通知を含むことを特徴とする請求項１８に記載のＷＴＲＵ。
【請求項２１】
周波数再使用機構の前記通知は、アクセスポイント（ＡＰ）により近いＷＴＲＵに関するスペクトル効率を高めることに関する情報を含むことを特徴とする請求項２０に記載のＷＴＲＵ。
【請求項２２】
非常に高いスループット（ＶＨＴ）動作情報を送信する方法であって、
ＶＨＴ動作ＩＥ（情報要素）を送信するステップを含み、前記ＩＥは、ワイヤレス送信／受信ユニット（ＷＴＲＵ）に送信するのに使用されるＶＨＴ一次チャネル、二次チャネルオフセット、および、ＶＨＴ  ＷＴＲＵチャネル幅に関連付けられた情報を有することを特徴とする方法。
【国際調査報告】
2013511215.tif 000027
2013511215.tif 000028